(57)【要約】【課題】関連のある複数の設定項目の設定変更を簡易なメニューで行えるようにすることを目的とする。【解決手段】本発明の電子機器１００は、第１の設定項目の設定値と、第２の設定項目の設定値と、第３の設定項目の設定値とを表示するように制御する表示制御手段と、第１の操作に応じて、いずれかの設定値を選択する選択手段と、第２の操作に応じて、選択された設定値を変更する変更手段とがあり、第１の設定項目の設定値が選択されている場合に第２の操作があると、確定する操作、又は、破棄する操作がされるまでは、第１の操作に応じた設定値の選択の変更を行わず、第２の設定項目の設定値が選択されている場合に第２の操作があると、確定する操作、又は、破棄する操作がなくても、第１の操作に応じて、第２の設定項目の設定値から第３の設定項目の設定値に選択を変更するように制御する制御手段とを有することを特徴とする。【選択図】図６
2018029287.tif 000002
【特許請求の範囲】
【請求項１】
第１の設定項目の設定値と、第２の設定項目の設定値と、第３の設定項目の設定値とを表示するように制御する表示制御手段と、
第１の操作に応じて、いずれかの設定値を選択する選択手段と、
第２の操作に応じて、選択された設定値を変更する変更手段とがあり、
前記第１の設定項目の設定値が選択されている場合に前記第２の操作があると、確定する操作、又は、破棄する操作がされるまでは、前記第１の操作に応じた設定値の選択の変更を行わず、
前記第２の設定項目の設定値が選択されている場合に前記第２の操作があると、前記確定する操作、又は、前記破棄する操作がなくても、前記第１の操作に応じて、前記第２の設定項目の設定値から前記第３の設定項目の設定値に選択を変更するように制御する制御手段とを有することを特徴とする電子機器。
【請求項２】
前記変更手段は、前記第２の設定項目の設定値が選択されている場合、前記第２の操作に応じて、前記第２の設定項目の設定値を変更し、さらに、前記第３の設定項目の設定値を、変更後の前記第２の設定項目の設定値に対応する設定値に変更することを特徴とする請求項１に記載の電子機器。
【請求項３】
前記変更手段は、前記第３の設定項目の設定値が選択されている場合、前記第２の操作に応じて、前記第３の設定項目の設定値を変更し、前記第２の設定項目の設定値を変更しないことを特徴とする請求項２に記載の電子機器。
【請求項４】
設定項目はグループ分けされており、前記第２の設定項目、及び、前記第３の設定項目は所定の同じグループに属し、
前記表示制御手段は、前記所定のグループに属する設定項目の設定値を表示するように制御し、
前記所定のグループに属するいずれかの設定項目の設定値が変更された後に前記確定する操作がされた場合、前記所定のグループに属する設定項目の設定値を確定する確定手段をさらに有することを特徴とする請求項１乃至３のいずれか１項に記載の電子機器。
【請求項５】
前記所定のグループに属するいずれかの設定項目の設定値が変更された後に前記破棄する操作がされた場合、前記所定のグループに属する設定項目の設定値を破棄して変更される前の設定値にする破棄手段をさらに有することを特徴とする請求項４に記載の電子機器。
【請求項６】
前記選択手段は、前記第１の操作に応じて、選択された設定値を指し示す第１のカーソルを表示するように制御し、
前記第２の操作に応じて、変更する対象の設定値を指し示す第２のカーソルを表示するように制御するカーソル制御手段を更に有することを特徴とする請求項１乃至５のいずれか１項に記載の電子機器。
【請求項７】
前記カーソル制御手段は、変更する対象の設定値が前記第２の設定項目の設定値、又は、前記第３の設定項目の設定値の場合、更に、前記第２の設定項目の設定値、及び、前記第３の設定項目の設定値を指し示す第３のカーソルを表示するように制御することを特徴とする請求項６に記載の電子機器。
【請求項８】
前記制御手段は、いずれかの設定値が選択されているときに前記第２の操作がされた場合、前記第２の操作がされる前の設定値の選択を維持することを特徴とする請求項１乃至７のいずれか１項に記載の電子機器。
【請求項９】
前記第２の設定項目、及び、前記第３の設定項目は、相互に関連することを特徴とする請求項１乃至８のいずれか１項に記載の電子機器。
【請求項１０】
前記第２の設定項目、及び、前記第３の設定項目は、ホワイトバランスに関連する設定項目であることを特徴とする請求項１乃至８のいずれか１項に記載の電子機器。
【請求項１１】
電子機器の制御方法であって、
第１の設定項目の設定値と、第２の設定項目の設定値と、第３の設定項目の設定値とを表示するように制御する表示制御ステップと、
第１の操作に応じて、いずれかの設定値を選択する選択ステップと、
第２の操作に応じて、選択された設定値を変更する変更ステップとがあり、
前記第１の設定項目の設定値が選択されている場合に前記第２の操作があると、確定する操作、又は、破棄する操作がされるまでは、前記第１の操作に応じた設定値の選択の変更を行わず、
前記第２の設定項目の設定値が選択されている場合に前記第２の操作があると、前記確定する操作、又は、前記破棄する操作がなくても、前記第１の操作に応じて、前記第２の設定項目の設定値から前記第３の設定項目の設定値に選択を変更するように制御する制御ステップとを有することを特徴とする電子機器の制御方法。
【請求項１２】
コンピュータを、請求項１乃至１０のいずれか１項に記載された電子機器の各手段として機能させるためのプログラム。
【請求項１３】
コンピュータを、請求項１乃至１０のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、電子機器の制御方法、及び、プログラムに関する。
【背景技術】
【０００２】
ビデオカメラの多機能化が進むにつれて、その設定をするためのメニューの項目も同じように増えてきている。設定項目の多くはビデオカメラを使う前に設定するため、項目数が多くなっても、検索性が良ければ利便性を確保することができる。
一方で、ビデオカメラには、撮影中の環境の変化に合わせて、頻繁に設定を変更する機能も存在する。頻繁に設定変更する場合、ユーザに煩雑な操作を要求することは適切ではないため、外装キーで設定変更できるようにしたり、簡単に扱えるメニューを使ったりすることで設定変更できるような運用が行われている。
【０００３】
設定に関する技術として、特許文献１には、次のような情報処理装置が記載されている。特許文献１の情報処理装置では、アプリケーション画面に存在する項目をグループ単位に分けておく。特許文献１の情報処理装置は、特定キーが押下されたとき、入力、あるいは選択、等の処理を行うべき項目が所属するグループの項目群の中で、最初に入力あるいは選択等の処理を行うべき項目、あるいは、エラーのある項目、にフォーカスを遷移させる。
【先行技術文献】
【特許文献】
【０００４】
【特許文献１】特開２０１５−６９５９０号公報
【発明の概要】
【発明が解決しようとする課題】
【０００５】
外装キーで設定変更できるようにしたり、簡単に扱えるメニューを使ったりすることで設定変更できるような上記のビデオカメラは、アクセス性を高めることを重視している。したがって、このようなビデオカメラは、個々の設定項目の設定値の変更には適していたとしても、関連のある複数の設定項目の設定値の変更は困難である。
また、特許文献１はフォーカスの遷移に関する技術であり、簡易なメニューを用いた設定変更については記載がない。
【０００６】
本発明はこのような状況に鑑みてなされたものであり、関連のある設定項目の設定値の変更を簡易なメニューで行えるようにすることを目的とする。
【課題を解決するための手段】
【０００７】
本発明の電子機器は、第１の設定項目の設定値と、第２の設定項目の設定値と、第３の設定項目の設定値とを表示するように制御する表示制御手段と、第１の操作に応じて、いずれかの設定値を選択する選択手段と、第２の操作に応じて、選択された設定値を変更する変更手段とがあり、前記第１の設定項目の設定値が選択されている場合に前記第２の操作があると、確定する操作、又は、破棄する操作がされるまでは、前記第１の操作に応じた設定値の選択の変更を行わず、前記第２の設定項目の設定値が選択されている場合に前記第２の操作があると、前記確定する操作、又は、前記破棄する操作がなくても、前記第１の操作に応じて、前記第２の設定項目の設定値から前記第３の設定項目の設定値に選択を変更するように制御する制御手段とを有することを特徴とする。
【発明の効果】
【０００８】
本発明によれば、関連のある設定項目の設定値の変更を簡易なメニューで行うことができる。
【図面の簡単な説明】
【０００９】
【図１】ビデオカメラの構成図である。
【図２】ＦＵＮＣ画面の図である。
【図３】ＦＵＮＣ選択画面の図である。
【図４】ＦＵＮＣ設定画面の図である。
【図５】ＦＵＮＣ処理のフローチャートである。
【図６】ＦＵＮＣ選択処理のフローチャートである。
【図７】ＦＵＮＣ設定処理のフローチャートである。
【発明を実施するための形態】
【００１０】
まず、図１を参照して、電子機器の一例であるビデオカメラ１００の構成について説明する。図１は、ビデオカメラ１００の構成図である。
撮像部１０１は、光学系レンズ、ＣＣＤ等の撮像素子、オートフォーカス機構、ズーム機構等からなる。撮像部１０１は、カメラ系制御部１０３の指示に従い、被写界に対して焦点や光量等を調整し、レンズを通して結像された被写界の光学像を映像信号に変換し、カメラ信号処理部１０２に送出する。
カメラ系制御部１０３は、マイクロコンピュータ等により構成され、システム制御部１０４の指示等によりカメラ系全体を制御する。
【００１１】
信号処理部１０５は、集積回路やマイクロコンピュータ等から構成され、記録系信号処理部１０６と再生系信号処理部１０７とから構成される。信号処理部１０５は、システム制御部１０４の指示により、様々な記録・再生信号処理を行う。記録系信号処理部１０６は、カメラ信号処理部１０２から出力された信号に対して所定の信号処理を施して、再生系信号処理部１０７やシステム制御部１０４に送る。システム制御部１０４は、記録系信号処理部１０６から受けた映像信号を第２記憶媒体１１５に記録する制御を行う。また、再生系信号処理部１０７は、第２記憶媒体１１５から読み出された映像信号や、記録系信号処理部１０６から受けた映像信号に対して所定の処理を施す。そして、再生系信号処理部１０７は、所定の処理が施された映像信号に、システム制御部１０４から送られる文字情報や印刷範囲枠表示情報等をミックスし、液晶パネル１０８に送る。
液晶パネル１０８は、ユーザ（操作者）に対して映像信号に基づく映像を映し出すとともに、文字や記号を用いたビデオカメラ１００の各種情報の表示やメニュー表示等を行う。
【００１２】
システム制御部１０４は、ビデオカメラ１００の各種機能を総合的に制御するマイクロコンピュータ等から構成される。システム制御部１０４は、第１記憶媒体１１４に記録されたプログラムをメモリ１１３に展開し、メモリ１１３に展開されたプログラムを実行することで、図５、図６、図７の処理が実現される。
メモリ１１３は、ＥＥＰＲＯＭ、フラッシュメモリ、ＲＡＭ等から構成される。メモリ１１３は、システム制御部１０４で処理を実行する際のデータ記憶や、ビデオカメラの設定保存に使用される。
第１記憶媒体１１４は、ＲＯＭや不揮発性メモリであり、システム制御部１０４が実行するプログラム等が格納されている。
第２記憶媒体１１５は、ハードディスク、ＤＶＤ、フラッシュメモリ等から構成され、記録系信号処理部１０６が処理した映像信号に基づく映像データ等を記録できる。
【００１３】
ＦＵＮＣキー１０９は、ＦＵＮＣ機能を使うためのキーである。ＦＵＮＣ機能は、ビデオカメラ１００が撮影する映像等を見ながら簡易メニューで各種設定を行うための機能である。ＦＵＮＣ機能が実行しているときに液晶パネル１０８に表示される画面をＦＵＮＣ画面と呼ぶ。ＦＵＮＣ画面で、ユーザは、シャッター、ゲイン、ホワイトバランス等の設定を変更できる。ユーザは、ＦＵＮＣ画面で表示されているカーソルを操作することで、設定項目の設定値を選択したり、選択された設定項目の設定値を変更したりする。操作には、十字キー１１０、ＳＥＴキー１１１、ＣＡＮＣＥＬキー１１２が使用される。
十字キー１１０は、ビデオカメラ１００を操作するためのキーであり、上キー、下キー、左キー、右キーから構成されている。例えば、上下方向のカーソル移動には上キーと下キーとが使われ、左右方向へのカーソル移動は左キーと右キーとが使われる。左キーの押下、及び、右キーの押下は、第１の操作の例である。上キーの押下、及び、下キーの押下は、第２の操作の例である。
ＳＥＴキー１１１は、例えば、変更した設定値を確定するために使用されるキーである。ＳＥＴキー１１１の押下は、確定する操作の例である。
ＣＡＮＣＥＬキー１１２は、例えば、変更した設定値を破棄して元の状態に戻すために使用されるキーである。ＣＡＮＣＥＬキー１１２の押下は、破棄する操作の例である。
【００１４】
次に、図２を参照して、ＦＵＮＣ機能を使用するときの液晶パネル１０８に表示される画面について説明する。図２（ａ）は基本画面２００を示す図であり、図２（ｂ）はＦＵＮＣ選択画面２１０を示す図であり、図２（ｃ）はＦＵＮＣ設定画面２３０を示す図である。
図２（ａ）に示す基本画面２００は、ＦＵＮＣ機能を開始する前に液晶パネル１０８に表示される画面である。基本画面２００の背景には、ビデオカメラ１００の映像が表示されており、基本画面２００では、ビデオカメラ１００の映像の上に、ビデオカメラ１００の各種情報が重畳されて表示されている。
基本画面２００には、左から順に、フレームレート２０１、シャッタースピード２０２、ＩＳＯ感度２０３、ホワイトバランス動作モード２０４ａ、色温度２０４ｂ、及び、補正値２０４ｃのそれぞれの設定値が表示される。これらの設定値はビデオカメラ１００の各種情報に含まれる。ＦＵＮＣ機能では、フレームレート２０１、シャッタースピード２０２、ＩＳＯ感度２０３、ホワイトバランス動作モード２０４ａ、色温度２０４ｂ、及び、補正値２０４ｃが設定項目となり、これらの設定値の変更が可能である。なお、設定項目の設定値が表示される位置を単に設定項目の位置とも呼ぶ。例えば、フレームレート２０１の設定値が表示される位置を単にフレームレート２０１の位置とも呼ぶ。シャッタースピード２０２やホワイトバランス動作モード２０４ａ等、その他の設定項目についても同様である。
【００１５】
ホワイトバランス動作モード２０４ａは、ホワイトバランスの動作モードであり、自動的にホワイトバランスの設定値を追従するオートモード、及び、ユーザ操作に応じてホワイトバランス設定値を算出するマニュアルモード等がある。ユーザは、撮影場面に合わせてホワイトバランス動作モード２０４ａを切り替えながら撮影を行う。
色温度２０４ｂは、ホワイトバランス動作モード２０４ａにおける色温度である。
補正値２０４ｃは、色温度２０４ｂに対する補正値である。
ＩＳＯ感度２０３の設定値は、第１の設定項目の例である。ホワイトバランス動作モード２０４ａは、第２の設定項目の例である。色温度２０４ｂは、第３の設定項目の例である。
【００１６】
本実施形態では、ユーザがホワイトバランス動作モード２０４ａの設定値を変更すると、ホワイトバランス動作モード２０４ａに付随する情報である色温度２０４ｂの設定値及び補正値２０４ｃの設定値が一緒に切り換わる。
ビデオカメラ１００の設定項目はグループ分けされている。フレームレート２０１、シャッタースピード２０２、ＩＳＯ感度２０３は、それぞれの項目のみからなるグループに属するものとする。例えば、フレームレート２０１が属するグループには、フレームレート２０１のみが含まれる。また、ホワイトバランス動作モード２０４ａ、色温度２０４ｂ、及び、補正値２０４ｃは、ホワイトバランスに関連する設定項目であり、相互に関連する。そして、ホワイトバランス動作モード２０４ａ、色温度２０４ｂ、及び、補正値２０４ｃは、所定の同じグループであるホワイトバランスグループ２０４に属する。したがって、ホワイトバランスグループ２０４は、設定項目を複数備える。
【００１７】
図２（ｂ）に示すＦＵＮＣ選択画面２１０は、ＦＵＮＣ画面の１つであり、基本画面２００が表示されている状態でユーザがＦＵＮＣキー１０９を押下することで表示される画面である。ＦＵＮＣ選択画面２１０には、基本画面２００と同様に、左から順にフレームレート２０１、シャッタースピード２０２、ＩＳＯ感度２０３、ホワイトバランス動作モード２０４ａ、色温度２０４ｂ、及び、補正値２０４ｃのそれぞれの設定値が表示される。さらに、ＦＵＮＣ選択画面２１０には、選択カーソル２０５が表示される。ＦＵＮＣ選択画面２１０の選択カーソル２０５は、第１のカーソルの例である。
選択カーソル２０５は、ＦＵＮＣ選択画面２１０で設定項目の設定値を選択するために使用されるカーソルであり、選択された設定値を指し示す。本実施形態では、選択カーソル２０５は矩形状の枠であり、設定値を囲むように選択カーソル２０５の枠を表示することで、設定値を指し示す。選択カーソル２０５は、ユーザが十字キー１１０の左右キーを押下することで左右方向に移動する。選択カーソル２０５がある設定項目の設定値が選択された設定値である。
【００１８】
ここで、図３を参照して、選択カーソル２０５の移動の例を説明する。図３は、選択カーソル２０５の移動を示すＦＵＮＣ選択画面２１０の図である。
まず、図３（ａ）に示すように、選択カーソル２０５がフレームレート２０１の位置にあるものとする。このとき、ユーザが十字キー１１０の右キーを押下すると、図３（ｂ）に示すように、選択カーソル２０５が一つ右の設定項目の設定値に移動して、選択カーソル２０５がシャッタースピード２０２の設定値を指す。同様に、ユーザが十字キー１１０の右キーを押下するごとに、選択カーソル２０５が右に移動していく。より具体的には、ユーザが十字キー１１０の右キーを押下するごとに、ＦＵＮＣ選択画面２１０が図３（ｂ）から図３（ｃ）に変わり、図３（ｃ）から図３（ｄ）に変わり、図３（ｄ）から図３（ｅ）に変わり、図３（ｅ）から図３（ｆ）に変わる。図３（ｃ）では、選択カーソル２０５がＩＳＯ感度２０３の位置にある。図３（ｄ）では、選択カーソル２０５がホワイトバランス動作モード２０４ａの位置にある。図３（ｅ）では、選択カーソル２０５が色温度２０４ｂの位置にある。図３（ｆ）では、選択カーソル２０５が補正値２０４ｃの位置にある。
【００１９】
また、ユーザが十字キー１１０の左キーを押下するごとに、選択カーソル２０５が左に移動していく。例えば、図３（ｆ）に示すように、選択カーソル２０５が補正値２０４ｃの位置にあるものとする。このとき、ユーザが十字キー１１０の左キーを押下すると、図３（ｅ）に示すように、選択カーソル２０５が一つ左の設定項目の設定値の位置に移動して、選択カーソル２０５が色温度２０４ｂを指す。同様に、ユーザが十字キー１１０の左キーを押下するごとに、ＦＵＮＣ選択画面２１０が図３（ｅ）から図３（ｄ）に変わり、図３（ｄ）から図３（ｃ）に変わり、図３（ｃ）から図３（ｂ）に変わり、図３（ｂ）から図３（ａ）に変わる。
【００２０】
次に、ＦＵＮＣ設定画面について説明する。ＦＵＮＣ設定画面は、ＦＵＮＣ画面の１つであり、設定項目の設定値を変更するときの画面である。ＦＵＮＣ設定画面は、ＦＵＮＣ選択画面２１０で十字キー１１０の上キー、下キー、又は、ＳＥＴキー１１１が押下されると表示される。ＦＵＮＣ設定画面には、図２（ｃ）に示す第１ＦＵＮＣ設定画面２２０と、図４に示す第２ＦＵＮＣ設定画面４００とがある。
第１ＦＵＮＣ設定画面２２０は、ＦＵＮＣ選択画面２１０で選択カーソル２０５がホワイトバランスグループ２０４に属さない設定項目の位置にあるときに、十字キー１１０の上キー、下キー、又は、ＳＥＴキー１１１が押下されると表示される画面である。
図２（ｃ）に示すように、第１ＦＵＮＣ設定画面２２０では、設定カーソル２０６が表示される。設定カーソル２０６の初期位置は、直前のＦＵＮＣ選択画面２１０で選択カーソル２０５があった位置である。第１ＦＵＮＣ設定画面２２０の設定カーソル２０６は、第２のカーソルの例であり、変更する対象となる設定値を指し示す。本実施形態では、設定カーソル２０６は、色反転した領域であり、設定値を含む領域の色を反転することで、設定値を指し示す。なお、後述の第２ＦＵＮＣ設定画面４００の設定カーソル４０２も同様である。
【００２１】
第１ＦＵＮＣ設定画面２２０では、設定カーソル２０６のある設定項目の設定値を変更でき、ユーザは設定値を変更するために十字キー１１０の上下キーを使用する。十字キー１１０の上キーが押下されると設定値が大きくなり、十字キー１１０の下キーが押下されると設定値が小さくなる、といった制御が行われる。ユーザが設定値の変更の後にＳＥＴキー１１１を押下すると、変更後の設定値が確定する。ユーザがＣＡＮＣＥＬキー１１２を押下すると変更後の設定値が破棄されて元の設定値に戻る。第１ＦＵＮＣ設定画面２２０では、ユーザが十字キー１１０の左キーと右キーを押下しても、設定カーソル２０６は左右に移動しない。
【００２２】
第２ＦＵＮＣ設定画面４００は、ＦＵＮＣ選択画面２１０で選択カーソル２０５がホワイトバランスグループ２０４に属する設定項目の位置にあるときに、十字キー１１０の上キー、下キー、又は、ＳＥＴキー１１１が押下されると表示される画面である。
図４に示すように、第２ＦＵＮＣ設定画面４００では、選択カーソル４０１と設定カーソル４０２とが表示される。選択カーソル４０１は、ホワイトバランスグループ２０４に属する設定項目の設定値を囲んで、ホワイトバランスグループ２０４を特定する。選択カーソル４０１は、設定カーソル４０２が移動できる範囲を表す。設定カーソル４０２の初期位置は、直前のＦＵＮＣ選択画面２１０で選択カーソル２０５があった位置である。
第２ＦＵＮＣ設定画面４００の設定カーソル４０２は、第２のカーソルの例であり、変更する対象となる設定値を指し示す。第２ＦＵＮＣ設定画面４００の選択カーソル４０１は、第３のカーソルの例であり、ホワイトバランスグループ２０４に属する設定項目の設定値を指し示す。本実施形態では、第２ＦＵＮＣ設定画面４００の選択カーソル４０１は、矩形状の枠である。選択カーソル４０１は、ホワイトバランスグループ２０４に属する設定項目の設定値の全てを囲むように選択カーソル２０５の枠を表示することで、ホワイトバランスグループ２０４に属する設定項目の設定値を指し示す。
【００２３】
ここで、図４を参照して、設定カーソル４０２の移動の例を説明する。
まず、図４（ａ）に示すように、設定カーソル４０２がホワイトバランス動作モード２０４ａの位置にあるものとする。このとき、ユーザが十字キー１１０の右キーを押下すると、図４（ｂ）に示すように、設定カーソル４０２が右に移動して、設定カーソル４０２が色温度２０４ｂの位置に来る。同様に、ユーザが十字キー１１０の右キーを押下すると、選択カーソル２０５が右に移動して、図４（ｃ）に示すように、設定カーソル４０２が補正値２０４ｃの位置に来る。
また、図４（ｃ）に示すように、設定カーソル４０２が補正値２０４ｃの位置にあるとする。このとき、ユーザが十字キー１１０の左キーを押下するごとに、選択カーソル２０５が左に移動していく。より具体的には、ユーザが十字キー１１０の左キーを押下するごとに、第２ＦＵＮＣ設定画面４００が図４（ｃ）から図４（ｂ）に変わり、図４（ｂ）から図４（ａ）に変わる。
【００２４】
第２ＦＵＮＣ設定画面４００では、第１ＦＵＮＣ設定画面２２０と同様に、設定カーソル４０２が指し示す設定値の変更を行うことができ、ユーザは設定値を変更するために十字キー１１０の上下キーを使用する。ユーザが設定値の変更の後にＳＥＴキー１１１を押下すると、ホワイトバランスグループ２０４に属する全ての設定項目の設定値が確定する。また、ユーザがＣＡＮＣＥＬキー１１２を押下すると、ホワイトバランスグループ２０４に属する全ての設定項目の設定値が破棄されて、元の設定値に戻る。
【００２５】
ＦＵＮＣ設定画面は、設定項目が属するグループが選択された状態の画面であり、選択されたグループに属する設定項目の設定値を変更できる画面である。例えば、図４に示す第２ＦＵＮＣ設定画面４００は、複数の設定項目を備えるホワイトバランスグループ２０４が選択された状態の画面である。また、図２（ｃ）に示す第１ＦＵＮＣ設定画面２２０は、ＩＳＯ感度２０３のみが属するグループが選択された状態の画面である。複数の設定項目を備えるグループが選択された第２ＦＵＮＣ設定画面４００は、１つの設定項目を備えるグループが選択された第１ＦＵＮＣ設定画面２２０とは異なり、設定カーソル４０２の移動範囲を表す選択カーソル４０１を表示する。一方、図２（ｂ）に示すＦＵＮＣ選択画面２１０は、設定項目が属するグループが選択されていない状態の画面である。
【００２６】
次に、図５を参照して、ＦＵＮＣ処理について説明する。図５は、ＦＵＮＣ処理のフローチャートである。ＦＵＮＣ処理は、ＦＵＮＣ機能を実現する処理である。
ステップＳ５０１において、システム制御部１０４は、ＦＵＮＣ画面を液晶パネル１０８に表示しているか否かを判定する。システム制御部１０４は、ＦＵＮＣ画面を液晶パネル１０８に表示しているとき処理をステップＳ５０７に進め、表示していないとき処理をステップＳ５０２に進める。なお、上記の通り、ＦＵＮＣ画面には、ＦＵＮＣ選択画面とＦＵＮＣ設定画面とがある。
ステップＳ５０２において、システム制御部１０４は、ＦＵＮＣキー１０９が押下されたか否かを判定する。システム制御部１０４は、ＦＵＮＣキー１０９が押下されたとき処理をステップＳ５０３に進め、ＦＵＮＣキー１０９が押下されていないとき処理をステップＳ５０６に進める。
【００２７】
ステップＳ５０３において、システム制御部１０４は、メモリ１１３からカーソル位置を読み込む。
ステップＳ５０４において、システム制御部１０４は、選択カーソルの位置を指定する。システム制御部１０４は、ステップＳ５０３で読み込んだカーソルの位置を選択カーソルの位置とする。ただし、メモリ１１３にカーソルの位置が記録されておらずメモリ１１３からカーソル位置を読み込めなかったとき、システム制御部１０４は、選択カーソルの位置を、初期位置となるフレームレート２０１の位置とする。
ステップＳ５０５において、システム制御部１０４は、液晶パネル１０８にＦＵＮＣ選択画面を表示する制御を行う。ＦＵＮＣ選択画面における設定項目の設定値を表示するように制御する処理は、表示制御手段による処理の例である。
ステップＳ５０６において、システム制御部１０４は、ＦＵＮＣ処理を終了するか否かを判定する。システム制御部１０４は、例えば、ユーザによって所定の操作がされて、ビデオカメラ１００としてＦＵＮＣ機能が無効化されたとき、ＦＵＮＣ処理を終了すると判定する。システム制御部１０４は、ＦＵＮＣ処理を終了すると判定したとき、図５の処理を終了し、ＦＵＮＣ処理を終了しないと判定したとき、処理をステップＳ５０１に戻す。
【００２８】
ステップＳ５０７において、システム制御部１０４は、ＦＵＮＣキー１０９が押下されたか否かを判定する。システム制御部１０４は、ＦＵＮＣキー１０９が押下されたとき処理をステップＳ５０８に進め、ＦＵＮＣキー１０９が押下されていないとき処理をステップＳ５１０に進める。
ステップＳ５０８において、システム制御部１０４は、ＦＵＮＣ画面を閉じて、液晶パネル１０８に基本画面を表示する制御を行う。
ステップＳ５０９において、システム制御部１０４は、直近に表示されたＦＵＮＣ画面がＦＵＮＣ選択画面のとき、ＦＵＮＣ選択画面での選択カーソルの位置をメモリ１１３に書き込む。システム制御部１０４は、直近に表示されたＦＵＮＣ画面がＦＵＮＣ設定画面のとき、ＦＵＮＣ設定画面での設定カーソルの位置をメモリ１１３に書き込む。次回以降、ステップＳ５０５でＦＵＮＣ選択画面が表示されるとき、選択カーソルの位置は、ステップＳ５０９で書き込まれたカーソルの位置になる。
【００２９】
ステップＳ５１０において、システム制御部１０４は、ＦＵＮＣ選択画面を液晶パネル１０８に表示しているか否かを判定する。システム制御部１０４は、ＦＵＮＣ選択画面を液晶パネル１０８に表示しているとき処理をステップＳ５１１に進め、表示していないとき処理をステップＳ５１２に進める。
ステップＳ５１１において、システム制御部１０４は、図６に示すＦＵＮＣ選択処理を行う。
ステップＳ５１２において、システム制御部１０４は、ＦＵＮＣ設定画面を液晶パネル１０８に表示しているか否かを判定する。システム制御部１０４は、ＦＵＮＣ設定画面を液晶パネル１０８に表示しているとき処理をステップＳ５１３に進め、表示していないとき処理をステップＳ５０６に進める。
ステップＳ５１３において、システム制御部１０４は、図７に示すＦＵＮＣ設定処理を行う。
【００３０】
次に、図６を参照して、ＦＵＮＣ選択処理について説明する。図６は、ＦＵＮＣ選択処理のフローチャートである。
ステップＳ６０１において、システム制御部１０４は、ビデオカメラ１００が備えるキーの押下を検出する。システム制御部１０４は、検出された操作が、十字キー１１０の上キーの押下、下キーの押下、又は、ＳＥＴキー１１１の押下のとき処理をステップＳ６０２に進め、これらの以外のとき処理をステップＳ６１４に進める。
なお、ＦＵＮＣ選択画面では、十字キー１１０の上キー、下キー、左キー、右キー、ＳＥＴキー１１１、及び、ＣＡＮＣＥＬキー１１２が受け付け対象となる。ステップＳ６０１では、これらのキーのうち、十字キー１１０の上キー、下キー、及び、ＳＥＴキー１１１について判定する。十字キー１１０の上キー、下キー、及び、ＳＥＴキー１１１は、ＦＵＮＣ設定画面に遷移するために用いられる。
【００３１】
ステップＳ６０２において、システム制御部１０４は、選択カーソルの位置を設定カーソルの位置に指定する。設定カーソルの位置にある設定値が選択されている設定値である。後のステップＳ６１１でＦＵＮＣ設定画面が表示されても、少なくともＦＵＮＣ設定画面が表示された直後の設定カーソルは、直前のＦＵＮＣ選択画面での選択カーソルと同じ位置になる。したがって、ＦＵＮＣ選択画面からＦＵＮＣ設定画面の遷移で、設定値の選択は維持される。
ステップＳ６０３において、システム制御部１０４は、設定カーソルの位置を確認して、選択されている設定値の種別を取得する。
ステップＳ６０４において、システム制御部１０４は、選択されている設定値がホワイトバランスグループ２０４に属するか否かを判定する。すなわち、システム制御部１０４は、選択されている設定項目の設定値が、ホワイトバランス動作モード２０４ａ、色温度２０４ｂ、及び、補正値２０４ｃのいずれかの設定値であるか否かを判定する。システム制御部１０４は、選択されている設定値がホワイトバランスグループ２０４に属するとき処理をステップＳ６０６に進め、属さないとき処理をステップＳ６０５に進める。なお、上記の通り、ホワイトバランスグループ２０４に属する設定項目の設定値は、ホワイトバランスに関連するものである。
【００３２】
ステップＳ６０５において、システム制御部１０４は、選択されている設定項目の設定値を取得する。なお、システム制御部１０４は、ステップＳ６０５では処理を行わず、ステップＳ６０３の処理を行った後、ステップＳ６０４に進む前に、選択されている設定項目の設定値を取得する処理を行ってもよい。
ステップＳ６０６において、システム制御部１０４は、ホワイトバランス動作モード２０４ａの設定値を取得する。
ステップＳ６０７において、システム制御部１０４は、色温度２０４ｂの設定値を取得する。
ステップＳ６０８において、システム制御部１０４は、補正値２０４ｃの設定値を取得する。
【００３３】
ステップＳ６０９において、システム制御部１０４は、ホワイトバランスグループ２０４に属する設定項目の設定値の全体を特定するように、選択カーソルを設定する。より具体的には、図４（ａ）に示す選択カーソル４０１のように、ホワイトバランスグループ２０４に属するホワイトバランス動作モード２０４ａ、色温度２０４ｂ、及び、補正値２０４ｃの全ての設定値を囲むように、選択カーソルを設定する。ステップＳ６０２及びＳ６０９の処理は、カーソル制御手段による処理の例である。
【００３４】
ステップＳ６１０において、システム制御部１０４は、ステップＳ６０５、又は、Ｓ６０６からＳ６０８までで取得した設定値を、メモリ１１３に一時保存する。
ステップＳ６１１において、システム制御部１０４は、ＦＵＮＣ設定画面を液晶パネル１０８に表示する制御を行う。設定カーソルがホワイトバランスグループ２０４に属さない設定項目の位置にあるとき、システム制御部１０４は、図２（ｃ）に示す第１ＦＵＮＣ設定画面２２０を表示する制御を行う。設定カーソルがホワイトバランスグループ２０４に属する設定項目の位置にあるとき、システム制御部１０４は、図４（ａ）から図４（ｃ）までに示す第２ＦＵＮＣ設定画面４００を表示する制御を行う。ＦＵＮＣ設定画面における設定項目の設定値を表示するように制御する処理は、表示制御手段による処理の例である。
ステップＳ６１２において、システム制御部１０４は、ステップＳ６０１で検出された操作が十字キー１１０の上キーの押下、又は、下キーの押下のとき、処理をステップＳ６１３に進める。システム制御部１０４は、ステップＳ６０１で検出された操作がＳＥＴキー１１１の押下のとき、処理をステップＳ６２４に進める。
ステップＳ６１３において、システム制御部１０４は、図７のＦＵＮＣ設定処理を行う。
【００３５】
ステップＳ６１４において、システム制御部１０４は、ステップＳ６０１で検出された操作が十字キー１１０の左キーの押下であるか否かを判定する。システム制御部１０４は、ステップＳ６０１で検出された操作が十字キー１１０の左キーの押下のとき処理をステップＳ６１５に進め、左キーの押下以外のとき処理をステップＳ６１８に進める。
ステップＳ６１５において、システム制御部１０４は、選択カーソルの位置が選択範囲の左端であるか否かを判定する。システム制御部１０４は、選択カーソルの位置が選択範囲の左端のとき処理をステップＳ６１７に進め、選択カーソルの位置が選択範囲の左端ではないとき処理をステップＳ６１６に進める。選択カーソルの選択範囲は、選択カーソルが移動できる範囲である。ＦＵＮＣ選択画面において、選択カーソルの選択範囲は、全ての設定項目の設定値を含む範囲である。
【００３６】
ステップＳ６１６において、システム制御部１０４は、選択カーソルの位置を一つ左の設定項目の位置に移動させる。例えば、図３（ｂ）のように選択カーソル２０５がシャッタースピード２０２の位置にあるときに左キーが押下されると、図３（ａ）のように選択カーソル２０５がフレームレート２０１の位置に移動する。
ステップＳ６１７において、システム制御部１０４は、選択カーソルの位置を右端の設定項目の位置に移動させる。例えば、図３（ａ）のように選択カーソル２０５がフレームレート２０１の位置にあるときに左キーが押下されると、図３（ｆ）のように選択カーソル２０５が補正値２０４ｃの位置に移動する。
【００３７】
ステップＳ６１８において、システム制御部１０４は、ステップＳ６０１で検出された操作が十字キー１１０の右キーの押下であるか否かを判定する。システム制御部１０４は、ステップＳ６０１で検出された操作が十字キー１１０の右キーの押下のとき処理をステップＳ６１９に進め、右キーの押下以外のとき処理をステップＳ６２２に進める。
ステップＳ６１９において、システム制御部１０４は、選択カーソルの位置が選択範囲の右端であるか否かを判定する。システム制御部１０４は、選択カーソルの位置が選択範囲の右端のとき処理をステップＳ６２０に進め、選択カーソルの位置が選択範囲の右端ではないとき処理をステップＳ６２１に進める。
ステップＳ６２０において、システム制御部１０４は、選択カーソルの位置を左端の設定項目の位置に移動させる。例えば、図３（ｆ）のように選択カーソル２０５が補正値２０４ｃの位置にあるときに右キーが押下されると、図３（ａ）のように選択カーソル２０５がフレームレート２０１の位置に移動する。
ステップＳ６２１において、システム制御部１０４は、選択カーソルの位置を一つ右の設定項目の位置に移動させる。例えば、図３（ａ）のように選択カーソル２０５がフレームレート２０１の位置にあるときに右キーが押下されると、図３（ｂ）のように選択カーソル２０５がシャッタースピード２０２の位置に移動する。
ステップＳ６１４からＳ６２１までは、選択手段による処理の例である。選択カーソルの位置にある設定値が選択された設定値であり、選択手段による処理で設定値の選択が行われる。
【００３８】
ステップＳ６２２において、システム制御部１０４は、ステップＳ６０１で検出された操作がＣＡＮＣＥＬキー１１２の押下であるか否かを判定する。システム制御部１０４は、ステップＳ６０１で検出された操作がＣＡＮＣＥＬキー１１２の押下のとき処理をステップＳ６２３に進め、ＣＡＮＣＥＬキー１１２の押下以外のとき、処理をステップＳ６２４に進める。
ステップＳ６２３において、システム制御部１０４は、ＦＵＮＣ画面（ＦＵＮＣ選択画面）を閉じて、液晶パネル１０８に基本画面を表示する制御を行う。
ステップＳ６２４において、システム制御部１０４は、ＦＵＮＣ選択画面が表示されているとき、ＦＵＮＣ選択画面での選択カーソルの位置をメモリ１１３に書き込む。システム制御部１０４は、ＦＵＮＣ設定画面が表示されているとき、ＦＵＮＣ設定画面での設定カーソルの位置をメモリ１１３に書き込む。システム制御部１０４は、ステップＳ６２３でＦＵＮＣ選択画面を閉じたとき、閉じる直前でのＦＵＮＣ選択画面での選択カーソルの位置をメモリ１１３に書き込む。
【００３９】
次に、図７を参照して、ＦＵＮＣ設定処理について説明する。図７は、ＦＵＮＣ設定処理のフローチャートである。なお、ＦＵＮＣ設定画面では、十字キー１１０の上キー、下キー、左キー、右キー、ＳＥＴキー１１１、及び、ＣＡＮＣＥＬキー１１２が受け付け対象のキーである。
ステップＳ７０１において、システム制御部１０４は、ビデオカメラ１００が備えるキーの押下を検出する。そして、システム制御部１０４は、検出された操作が、ＳＥＴキー１１１の押下であるか否かを判定する。システム制御部１０４は、検出された操作が、ＳＥＴキー１１１の押下のとき処理をステップＳ７０２に進め、ＳＥＴキー１１１の押下以外のとき処理をステップＳ７０４に進める。
【００４０】
ステップＳ７０２において、システム制御部１０４は、ＦＵＮＣ画面（ＦＵＮＣ設定画面）を閉じて、液晶パネル１０８に基本画面を表示する制御を行う。これにより、ユーザが設定項目の設定値を変更できない状態になり設定が確定する。なお、ステップＳ７０２において、システム制御部１０４は、ＦＵＮＣ設定画面を閉じて、液晶パネル１０８にＦＵＮＣ選択画面を表示する制御を行ってもよい。この場合でもユーザが設定項目の設定値を変更できない状態になり設定が確定する。ステップＳ７０２の処理は、確定手段による処理の例である。
ステップＳ７０２において、システム制御部１０４は、設定を保存する処理を行っていない。これは、ユーザが設定項目の設定値を変更する操作をすると、ステップＳ７０６やＳ７１４において、設定項目の設定値が更新されるためである。なお、ユーザが設定項目の設定値を変更する操作をしても設定項目の設定値が更新されないビデオカメラ１００の場合、システム制御部１０４は、ステップＳ７０２において、設定項目の設定値を更新する。
ステップＳ７０３において、システム制御部１０４は、設定カーソルの位置をメモリ１１３に書き込んでカーソル位置を保存する。ステップＳ７２４においてＦＵＮＣ設定画面を閉じたとき、システム制御部１０４は、閉じる直前でのＦＵＮＣ設定画面での設定カーソルの位置をメモリ１１３に書き込んでカーソル位置を保存する。
【００４１】
ステップＳ７０４において、システム制御部１０４は、ステップＳ７０１で検出された操作が十字キー１１０の上キーの押下であるか否かを判定する。システム制御部１０４は、ステップＳ７０１で検出された操作が上キーの押下のとき処理をステップＳ７０５に進め、上キーの押下以外のとき処理をステップＳ７１２に進める。なお、ＦＵＮＣ設定処理が図６のステップＳ６１３で実行されるとき、システム制御部１０４は、ステップＳ７０１ではビデオカメラ１００が備えるキーの押下を検出しない。そして、システム制御部１０４は、図６のステップＳ６０１で検出されたキーの押下を使って、ステップＳ７０１、Ｓ７０４、Ｓ７１２の判定を行う。
ステップＳ７０５において、システム制御部１０４は、設定カーソルの位置にある設定項目の設定値が上限であるか否かを判定する。システム制御部１０４は、設定項目の設定値が上限のとき処理をステップＳ７０３に進め、設定項目の設定値が上限ではないとき処理をステップＳ７０６に進める。
ここで、設定値の上限、下限について説明する。設定項目ごとに、ユーザが選択できる設定値の一覧である設定一覧が予めメモリ１１３又は第１記憶媒体１１４に記憶されている。設定一覧には、設定一覧に含まれる設定値を仮想的に上下に並べたときの上限（上端）と下限（下端）とがあり、ユーザは上キーと下キーと押下することで、設定一覧の上限と下限の間の設定値を選択できる。設定一覧に含まれる設定値を仮想的に上下に並べるとき、例えば、上から値の大きい順に並べる。
【００４２】
ステップＳ７０６において、システム制御部１０４は、設定カーソルの位置にある設定項目の設定値を、設定カーソルの位置にある設定項目の設定一覧の１つ上の設定値に変更して、設定項目の設定値を更新する。
ステップＳ７０７において、システム制御部１０４は、ステップＳ７０６で更新された設定項目に従属する設定項目があるか否かを判定する。ステップＳ７０６で更新された設定項目は設定カーソルの位置にある設定項目の設定値である。本実施形態では、ホワイトバランス動作モード２０４ａには、ホワイトバランス動作モード２０４ａに従属する設定項目として色温度２０４ｂ、及び、補正値２０４ｃがある。このため、より具体的には、ステップＳ７０７において、システム制御部１０４は、ステップＳ７０６で更新された設定項目の設定値がホワイトバランス動作モード２０４ａの設定値であるか否かを判定する。システム制御部１０４は、ステップＳ７０６で更新された設定項目の設定値がホワイトバランス動作モード２０４ａの設定値であるとき処理をステップＳ７０８に進める。システム制御部１０４は、ステップＳ７０６で更新された設定項目の設定値がホワイトバランス動作モード２０４ａの設定値ではないとき処理をステップＳ７０３に進める。
【００４３】
ステップＳ７０８において、システム制御部１０４は、メモリ１１３に一時保存された色温度２０４ｂの設定値を読み込み、色温度２０４ｂの設定値を、メモリ１１３から読み込んだ設定値に戻す。
ステップＳ７０９において、システム制御部１０４は、メモリ１１３に一時保存された補正値２０４ｃの設定値を読み込み、補正値２０４ｃの設定値を、メモリ１１３から読み込んだ設定値に戻す。
ステップＳ７１０において、システム制御部１０４は、色温度２０４ｂの設定値を、直近のステップＳ７０６又はＳ７１４で更新されたホワイトバランス動作モード２０４ａの設定値に対応する設定値に変更して、色温度２０４ｂの設定値を更新する。
ステップＳ７１１において、システム制御部１０４は、補正値２０４ｃの設定値を、直近のステップＳ７０６又はＳ７１４で更新されたホワイトバランス動作モード２０４ａの設定値に対応する設定値に変更して、補正値２０４ｃの設定値を更新する。
なお、ホワイトバランス動作モード２０４ａの設定値に対応する色温度２０４ｂの設定値や補正値２０４ｃの設定値は、例えば、予めメモリ１１３又は第１記憶媒体１１４に記憶されている。
【００４４】
ステップＳ７１２において、システム制御部１０４は、ステップＳ７０１で検出された操作が十字キー１１０の下キーの押下であるか否かを判定する。システム制御部１０４は、ステップＳ７０１で検出された操作が下キーの押下のとき処理をステップＳ７１３に進め、下キーの押下以外のとき処理をステップＳ７１５に進める。
ステップＳ７１３において、システム制御部１０４は、設定カーソルの位置にある設定項目の設定値が下限であるか否かを判定する。システム制御部１０４は、設定項目の設定値が下限のとき処理をステップＳ７０３に進め、設定項目の設定値が下限ではないとき処理をステップＳ７１４に進める。
ステップＳ７１４において、システム制御部１０４は、設定カーソルの位置にある設定項目の設定値を、設定カーソルの位置にある設定項目の設定一覧の１つ下の設定値に変更して、設定項目の設定値を更新する。
ステップＳ７０４からＳ７１４までの処理は、変更手段による処理の例である。
【００４５】
ステップＳ７１５において、システム制御部１０４は、ステップＳ７０１で検出された操作が十字キー１１０の左キーの押下であるか否かを判定する。システム制御部１０４は、ステップＳ７０１で検出された操作が左キーの押下のとき処理をステップＳ７１６に進め、左キーの押下以外のとき処理をステップＳ７１９に進める。
ＦＵＮＣ設定画面では、設定カーソルの左右方向への移動は原則として行われない。しかし、本実施形態のホワイトバランスグループ２０４のように複数の設定項目を備えるグループが選択されているときは、グループに属する設定項目の範囲内で設定カーソルの左右方向への移動が許容される。
【００４６】
ステップＳ７１６において、システム制御部１０４は、設定カーソルの位置が選択範囲の左端であるか否かを判定する。システム制御部１０４は、設定カーソルの位置が選択範囲の左端のとき処理をステップＳ７１８に進め、設定カーソルの位置が選択範囲の左端ではないとき処理をステップＳ７１７に進める。なお、設定カーソルがホワイトバランスグループ２０４に属する設定項目以外の位置のとき、選択範囲は設定カーソルが位置する設定項目のみであるため、システム制御部１０４は、設定カーソルの位置が選択範囲の左端であると判定する。
設定カーソルの選択範囲は、設定カーソルが移動できる範囲である。設定カーソルが、ホワイトバランスグループ２０４に属する設定項目のいずれかの位置にあるとき、設定カーソルの選択範囲は、ホワイトバランスグループ２０４に属する設定項目の設定値の全てを含む範囲である。設定カーソルが、ホワイトバランスグループ２０４に属さない設定項目のいずれかの位置にあるとき、設定カーソルの選択範囲は、設定カーソルが位置する設定項目の設定値のみを含む範囲である。
【００４７】
ステップＳ７１７において、システム制御部１０４は、設定カーソルの位置を一つ左の設定項目の位置に移動させる。例えば、図４（ｂ）のように設定カーソル４０２が色温度２０４ｂの位置にあるときに左キーが押下されると、図４（ａ）のように設定カーソル４０２がホワイトバランス動作モード２０４ａの位置に移動する。
ステップＳ７１８において、システム制御部１０４は、設定カーソルの位置を選択範囲の右端の設定項目の位置に移動させる。例えば、図４（ａ）のように設定カーソル４０２がホワイトバランス動作モード２０４ａの位置にあるときに左キーが押下されると、図４（ｃ）のように設定カーソル４０２が補正値２０４ｃの位置に移動する。
なお、設定カーソルがホワイトバランスグループ２０４に属する設定項目以外の位置のとき、選択範囲は設定カーソルが位置する設定項目の設定値のみであるため、ステップＳ７１８において実質的な処理は行われず、設定カーソルは移動しない。
【００４８】
ステップＳ７１９において、システム制御部１０４は、ステップＳ７０１で検出された操作が十字キー１１０の右キーの押下であるか否かを判定する。システム制御部１０４は、ステップＳ７０１で検出された操作が右キーの押下のとき処理をステップＳ７２０に進め、右キーの押下以外のとき処理をステップＳ７２３に進める。
ステップＳ７２０において、システム制御部１０４は、設定カーソルの位置が選択範囲の右端であるか否かを判定する。システム制御部１０４は、設定カーソルの位置が選択範囲の右端のとき処理をステップＳ７２１に進め、設定カーソルの位置が選択範囲の右端ではないとき処理をステップＳ７２２に進める。なお、設定カーソルがホワイトバランスグループ２０４に属する設定項目以外の位置のとき、選択範囲は設定カーソルが位置する設定項目の設定値のみであるため、システム制御部１０４は、設定カーソルの位置が選択範囲の右端であると判定する。
ステップＳ７２１において、システム制御部１０４は、設定カーソルの位置を選択範囲の左端の設定項目の位置に移動させる。なお、設定カーソルがホワイトバランスグループ２０４に属する設定項目以外の位置のとき、選択範囲は設定カーソルが位置する設定項目の設定値のみであるため、ステップＳ７２１において実質的な処理は行われず、設定カーソルは移動しない。
ステップＳ７２２において、システム制御部１０４は、設定カーソルの位置を一つ右の設定項目の位置に移動させる。
【００４９】
なお、システム制御部１０４は、ステップＳ７１６からＳ７１８までの処理、及び、ステップＳ７２０からＳ７２２までの処理を、ホワイトバランスグループ２０４に属する設定項目の設定値が選択されているときにのみ行うようにしてもよい。
ステップＳ７１５からＳ７２２までの処理は、制御手段による処理の例である。
【００５０】
ステップＳ７２３において、システム制御部１０４は、ステップＳ７０１で検出された操作がＣＡＮＣＥＬキー１１２の押下であるか否かを判定する。システム制御部１０４は、ステップＳ７０１で検出された操作がＣＡＮＣＥＬキー１１２の押下のとき処理をステップＳ７２４に進め、ＣＡＮＣＥＬキー１１２の押下以外のとき処理をステップＳ７０３に進める。
ステップＳ７２４において、システム制御部１０４は、ＦＵＮＣ画面（ＦＵＮＣ設定画面）を閉じて、液晶パネル１０８に基本画面を表示する制御を行う。なお、ステップＳ７２４において、システム制御部１０４は、ＦＵＮＣ設定画面を閉じて、液晶パネル１０８にＦＵＮＣ選択画面を表示する制御を行ってもよい。
ステップＳ７２５において、システム制御部１０４は、設定カーソルの選択範囲に含まれる設定項目の設定値を、メモリ１１３に一時保存された設定値に戻す。これにより、設定カーソルの選択範囲に含まれる設定項目の設定値が、ステップＳ７０６やＳ７１４で変更される前の設定値になる。これは、ＳＥＴキー１１１以外の操作では設定値の変更を確定させないためである。ステップＳ７２５の処理は、破棄手段による処理の例である。
【００５１】
以上説明したように、フレームレート２０１の設定値、シャッタースピード２０２の設定値、及び、ＩＳＯ感度２０３の設定値のいずれかが選択されている場合に、上キー又は下キーが押下されると、システム制御部１０４は、次の処理を行う。システム制御部１０４は、図６のステップＳ６１１でＦＵＮＣ設定画面を表示する処理を行う。そして、システム制御部１０４は、左キー又は右キーが押下されても、図７のステップＳ７１５からＳ７２２までの処理で、設定値の選択の変更を行わない。
また、ホワイトバランス動作モード２０４ａの設定値が選択されている場合に、上キー又は下キーが押下されると、システム制御部１０４は、次の処理を行う。システム制御部１０４は、図７のステップＳ７１５からＳ７２２までで、左キー又は右キーの押下に応じて、ホワイトバランスグループ２０４に属する設定項目の設定値に選択を変更する。
したがって、ユーザは、関連のある設定項目の範囲内で設定値を変更できるため、関連のある設定項目の設定値の変更を簡易なメニューで行うことができる。
【００５２】
また、システム制御部１０４は、ホワイトバランス動作モード２０４ａの設定値を変更するとき、色温度２０４ｂや補正値２０４ｃの設定値を、変更後のホワイトバランス動作モード２０４ａの設定値に対応する設定値に変更する。したがって、ユーザは簡易なメニューで、従属する設定項目を適切な設定値に変更できるため、ユーザの利便性が向上する。
また、色温度２０４ｂや補正値２０４ｃの設定値を変更するとき、システム制御部１０４は、ホワイトバランス動作モード２０４ａの設定値を変更しない。すなわち、従属しない設定項目の設定値は変更されない。したがって、従属する設定項目の設定値をまとめて変更することと、従属しない設定項目の設定値を個別に変更することとの両立が可能になる。
【００５３】
また、システム制御部１０４は、ホワイトバランスグループ２０４に属する設定項目の設定値をまとめて確定したり、破棄したりする。したがって、例えばパーソナルコンピュータにように専用の設定画面を自由に開くことができない環境がなくても、ユーザは、簡易なメニューで専用の設定画面と同様の操作感を得ることができる。
【００５４】
なお、上記の実施形態では、システム制御部１０４は、図７のステップＳ７０７からＳ７１１までにおいて、ホワイトバランス動作モード２０４ａの設定値が変更されたとき、次の処理を行う。すなわち、システム制御部１０４は、ホワイトバランス動作モード２０４ａの設定値に基づいて、ホワイトバランス動作モード２０４ａの設定値に対応する色温度２０４ｂ、及び、補正値２０４ｃの設定値を変更する。これは、ホワイトバランス動作モード２０４ａに従属する設定項目として色温度２０４ｂ、及び、補正値２０４ｃがあるときの処理である。より具体的には、ホワイトバランス動作モード２０４ａの設定が変わると、これに伴って色温度２０４ｂ、及び、補正値２０４ｃの設定値が連動して変化する仕様になっている場合の処理である。
しかし、システム制御部１０４は、この処理に限定されるものではなく、選択された設定項目に従属する設定項目である関連項目の設定を、選択された設定項目の設定値に基づいて変更するように処理を行えばよい。例えば、補正値２０４ｃが色温度２０４ｂに従属する設定項目であるとき、システム制御部１０４は、色温度２０４ｂの設定値が変更されると、色温度２０４ｂの設定値に基づいて補正値２０４ｃの設定値を変更する。また、ホワイトバランス動作モード２０４ａ、補正値２０４ｃ、及び、色温度２０４ｂは、互いに連動せずに、独立して設定の変更ができるようにしてもよい。
【００５５】
また、上記の実施形態では、ホワイトバランスグループ２０４には、３つの設定項目が属する。しかし、ホワイトバランスグループ２０４には、２又は４つ以上の設定項目が属するようにしてもよい。
また、上記の実施形態では、複数の設定項目を備えるグループは、ホワイトバランスに関連したホワイトバランスグループ２０４のみである。しかし、ビデオカメラ１００は、ホワイトバランスグループ２０４に加えて、又は、ホワイトバランスグループ２０４に代えて、複数の設定項目を備える他のグループを備えていてもよい。例えば、ビデオカメラ１００は、複数の設定項目を備えるグループとして、シャッターグループを備えていてもよい。シャッターグループは、例えば、設定項目として動作モードと、フレームレート２０１と、シャッタースピード２０２と、ＩＳＯ感度２０３とを備える。ユーザは、シャッターの動作モードとして、例えばオート又はマニュアルの設定を選択できる。
【００５６】
なお、システム制御部１０４が行うものとして説明した上記の各種制御は、１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上記の各実施形態は本発明の一実施形態を示すものにすぎず、各実施形態を適宜組み合わせることも可能である。
また、上記の実施形態においては、本発明をビデオカメラ１００に適用した場合を例にして説明したが、これはこの例に限定されず、ユーザの操作により設定の変更が可能な電子機器であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、タブレット端末等に適用可能である。また、本発明は、スマートフォン、投影装置、ディスプレイを備える家電装置や車載装置等に適用可能である。
【００５７】
（その他の実施例）
本発明は、上記の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００５８】
１００  ビデオカメラ、１０４  システム制御部
【図１】
2018029287.tif 000003
【図２】
2018029287.tif 000004
【図３】
2018029287.tif 000005
【図４】
2018029287.tif 000006
【図５】
2018029287.tif 000007
【図６】
2018029287.tif 000008
【図７】
2018029287.tif 000009